(57)【要約】　【課題】　保護パネル６の変形を抑制し、保護パネル６が変形してディスプレイパネル３の画像表示領域４ａに接触してモアレ（干渉縞）が発生するのを低減する。　【解決手段】　ディスプレイ装置１は、開口部２ｃを有する筐体２と、筐体２に収納されかつ前記開口部２ｃに対面する画像表示領域４ａを有するディスプレイパネル３と、開口部２ｃを塞ぐ保護パネル６とを含み、保護パネル６は、その周縁部が、ディスプレイパネル３のパネル枠５と筐体２との間に、樹脂発泡体７を介して挟まれて保持されている。【選択図】　　　　図２
2004145316.tif 000002
【特許請求の範囲】
【請求項１】
　開口部を有する筐体と、
　前記筐体に収納されかつ前記開口部に対面する画像表示領域を有するディスプレイパネルと、
　前記開口部を塞ぐ保護パネルとを含み、
　前記保護パネルは、その周縁部が、前記ディスプレイパネルおよび前記筐体の少なくともいずれか一方に押圧されて保持されるディスプレイ装置。
【請求項２】
　前記筐体には、前記保護パネルを保持する保持部材が取付けられ、前記保護パネルは、その周縁部が、前記筐体と前記保持部材とに挟まれて保持される請求項１に記載のディスプレイ装置。
【請求項３】
　前記保護パネルの前記周縁部が、前記ディスプレイパネルおよび前記筐体によって、挟まれて保持される請求項１に記載のディスプレイ装置。
【請求項４】
　前記保護パネルの前記周縁部が、可撓性を有する復元性部材を介して挟まれる請求項２に記載のディスプレイ装置。
【請求項５】
　前記保護パネルの前記周縁部が、可撓性を有する復元性部材を介して挟まれる請求項３に記載のディスプレイ装置。
【請求項６】
　前記復元性部材が、前記保護パネルの前記周縁部と前記ディスプレイパネルとの間に配置され、前記ディスプレイパネルの前記画像表示領域が、前記復元性部材および前記保護パネルによって遮蔽される請求項５に記載のディスプレイ装置。
【請求項７】
　前記ディスプレイパネルは、前記画像表示領域を有するディスプレイパネル本体と、該ディスプレイパネル本体の外周を保持するパネル枠とを備え、前記復元性部材が、前記保護パネルの前記周縁部と前記パネル枠との間に配置される請求項６に記載のディスプレイ装置。
【請求項８】
　前記復元性部材は、発泡体であり、該発泡体は、前記保護パネルの前記周縁部または前記パネル枠に接触する面が、前記周縁部または前記パネル枠に接着される請求項７に記載のディスプレイ装置。
【発明の詳細な説明】
【技術分野】
【０００１】
　本発明は、プラズマディスプレイ装置や液晶ディスプレイ装置などの平面型のディスプレイ装置に関し、更に詳しくは、ディスプレイパネルの画像表示面を保護するための保護パネルを有するディスプレイ装置に関する。
【背景技術】
【０００２】
　平面型のディスプレイ装置の一つであるプラズマディスプレイ装置には、その前面側に保護パネルとして、電磁波吸収フィルターを備えたものがある（例えば、特許文献１参照）。
【０００３】
　このプラズマディスプレイ装置では、プラズマディスプレイパネル等を収納した筐体のうち、前面側の前部筐体には、プラズマディスプレイパネルの画像表示領域に対面して開口部が形成されている。この開口部を塞ぐように、保護パネルとしての電磁波吸収フィルターが設けられており、この電磁波吸収フィルターは、その周縁部が、前記開口部の周囲の枠部に両面テープによって固定されて取付けられている。
【特許文献１】特開平１１−３５２８９７号公報
【発明の開示】
【発明が解決しようとする課題】
【０００４】
　この両面テープは、可撓性を有しており、ディスプレイ装置通電時の発熱によって電磁波吸収フィルターが熱変形を起こしても、両面テープ自身の弾性変形によってそれを吸収するようしている。これによって、ディスプレイ装置通電時の発熱で電磁波吸収フィルターが、凹凸状に変形したり、あるいは、その変形によって電磁波吸収フィルターが、プラズマディスプレイパネルの画像表示領域に接触してモアレ（干渉縞）が発生するというのを防止している。
【０００５】
　しかしながら、電磁波吸収フィルター自身の材料物性値である線膨張係数が、両面テープの線膨張係数よりも大きい場合には、両面テープ自身の弾性変形では、電磁波吸収フィルターの熱変形を吸収しきることができない。
【０００６】
　また、前部筐体の前記枠部の周囲には、電磁波吸収フィルターの周縁部を囲むように壁が形成されている。電磁波吸収フィルターは、その周縁部と前記壁との間に、隙間をもって前記両面テープで固定されているけれども、電磁波吸収フィルターの熱変形による伸びが、その隙間よりも大きいと、電磁波吸収フィルターの外方への伸びが前部筐体の前記壁に遮られることとなる。この場合には、電磁波吸収フィルターが、凹凸状に変形したり、プラズマディスプレイパネルの画像表示領域に接触することによるモアレを発生させてしまうことが考えられる。
【０００７】
　このような課題は、熱に起因するものだけでなく湿気などによっても同様に生じ得るものである。
【０００８】
　本発明は、このような実情に鑑みてなされたものであって、保護パネルの変形を抑制し、保護パネルが変形してディスプレイパネルの画像表示領域に接触してモアレ（干渉縞）が発生するのを低減することを目的とする。
【課題を解決するための手段】
【０００９】
　本発明では、上記目的を達成するために、次のように構成している。
【００１０】
　すなわち、本発明のディスプレイ装置は、開口部を有する筐体と、前記筐体に収納されかつ前記開口部に対面する画像表示領域を有するディスプレイパネルと、前記開口部を塞ぐ保護パネルとを含み、前記保護パネルは、その周縁部が、前記ディスプレイパネルおよび前記筐体の少なくともいずれか一方に押圧されて保持されるものである。
【００１１】
　本発明によると、保護パネルは、筐体に固定されるのではなく、押圧されて保持されるので、ディスプレイ装置通電時の発熱による保護パネルの熱膨張や通電停止後の熱収縮が、許容されることになり、保護パネルが凹凸状に変形したり、あるいは、その変形によって保護パネルが、ディスプレイパネルの画像表示領域に接触してモアレ（干渉縞）が発生するのを低減することができる。
【００１２】
　本発明の一つの実施態様においては、前記筐体には、前記保護パネルを保持する保持部材が取付けられ、前記保護パネルは、その周縁部が、前記筐体と前記保持部材とに挟まれて保持されるものである。
【００１３】
　この実施態様によると、保護パネルは、その周縁部が、筐体と保持部材とに挟まれて保持されるので、筐体に固定される従来例に比べて、ディスプレイ装置通電時の発熱による熱膨張や通電停止後の熱収縮が容易となり、保護パネルが凹凸状に変形するのが抑制される。
【００１４】
　本発明の好ましい実施態様においては、前記保護パネルの前記周縁部が、前記ディスプレイパネルおよび前記筐体によって、挟まれて保持されるものである。
【００１５】
　この実施態様によると、保護パネルは、その周縁部が、ディスプレイパネルと筐体とに挟まれて保持されるので、筐体に固定される従来例に比べて、ディスプレイ装置通電時の発熱による熱膨張や通電停止後の熱収縮が容易となり、保護パネルが凹凸状に変形するのが抑制される。しかも、保護パネルを保持するためのの保持部材などを必要としない。
【００１６】
　本発明の他の好ましい実施態様においては、前記保護パネルの前記周縁部が、可撓性を有する復元性部材を介して挟まれるものである。
【００１７】
　この実施態様によると、保護パネルは、その周縁部が可撓性を有する復元性部材を介して挟まれるので、この可撓性を有する復元性部材の復元力によって、ガタツキが吸収されて確実に挟圧保持される。
【００１８】
　本発明の他の実施態様においては、前記復元性部材が、前記保護パネルの前記周縁部と前記ディスプレイパネルとの間に配置され、前記ディスプレイパネルの前記画像表示領域が、前記復元性部材および前記保護パネルによって遮蔽されるものである。
【００１９】
　この実施態様によると、ディスプレイパネルの画像表示領域が、復元性部材および保護パネルによって遮蔽されるので、ディスプレイパネルの画像表示領域へ塵埃が侵入して付着するのを防止することができる。
【００２０】
　本発明の更に他の実施態様においては、前記ディスプレイパネルは、前記画像表示領域を有するディスプレイパネル本体と、該ディスプレイパネル本体の外周を保持するパネル枠とを備え、前記復元性部材が、前記保護パネルの前記周縁部と前記パネル枠との間に配置されるものである。
【００２１】
　この実施態様によると、ディスプレイパネルの外周のパネル枠を利用して保護パネルを、筐体との間で挟んで保持することができる。
【００２２】
　本発明の一実施態様においては、前記復元性部材は、発泡体であり、該発泡体は、前記保護パネルの前記周縁部または前記パネル枠に接触する面が、前記周縁部または前記パネル枠に接着される。
【００２３】
　この実施態様によると、復元性部材である発泡体は、保護パネルまたはディスプレイパネルのパネル枠に接着されるので、発泡体を、保護パネルまたはディスプレイパネルと一体として取り扱うことができ、当該ディスプレイ装置を組み立てる際の作業性が向上する。
【発明の効果】
【００２４】
　以上のように本発明によれば、保護パネルは、その周縁部が、筐体に固定されるのではなく、ディスプレイパネルおよび筐体の少なくともいずれか一方に押圧されて保持されるので、装置通電時の内部発熱などによる膨張や通電停止時の放熱などによる収縮が比較的自由に行なわれることになり、これによって、保護パネルが凹凸状に変形するのを抑制でき、保護パネルが凹凸状に変形してディスプレイパネルの画像表示領域に接触してモアレを発生するのを低減することができる。
【発明を実施するための最良の形態】
【００２５】
　以下、図面によって、本発明の実施の形態について詳細に説明する。
【００２６】
　（実施の形態１）
　図１は本発明の好ましい実施形態に係る液晶ディスプレイ装置の前面を示す図、図２はその液晶ディスプレイ装置の縦断側面図、図３〜図５は液晶ディスプレイ装置の一部を破断して各構成要素を示す斜視図である。
【００２７】
　液晶ディスプレイ装置１は、筐体２を備える。筐体２は、好ましくは塗装が施された電気亜鉛メッキ鋼板（ＳＥＣＣ）から作られており、前部筐体２ａと後部筐体２ｂとの二つの部分に分離可能であり、前部筐体２ａは前面側に矩形の開口部２ｃを有する。
【００２８】
　ディスプレイバネルとしての液晶パネル３は、筐体２内に収納されており、パネル本体４とパネル枠５とを備えている。パネル本体４は、前面側に画像表示領域４ａを有する。パネル枠５は、アルミニウムなどからなり、パネル本体４を収納しかつその外周を保持する。
【００２９】
　パネル本体４の画像表示領域４ａは、前部筐体２ａの開口部２ｃに対面している。保護パネル６は、前部筐体２ａの開口部２ｃを塞ぐように取り付けられて液晶パネル３の画像表示領域４ａを保護している。保護パネル６は、図６に示されるように、前部筐体２ａの開口部２ｃよりも若干小さな面積の矩形の中央部分６ａと、中央部分６ａよりも厚さが薄い周縁部６ｂとを備えている。保護パネル６は、同じ厚さの平板状であってもよい。
【００３０】
　保護パネル６は、例えば、アクリル樹脂などの透明材料によって構成される。保護パネル６は、筐体２に取り付けられたときに、前部筐体２ａの開口部２ｃに嵌め込まれた中央部分６ａの前面と前部筐体２ａの前面とが、段差のない略同じ平面状になるように構成されている。中央部分６ａが前部筐体２ａの開口部２ｃに嵌め込まれた状態で、中央部分６ａの側面と、前部筐体２ａの開口部２ｃの端面との間には、図２に示されるように、保護パネル６の熱などによる伸縮を考慮した隙間Ｇ１が設定されている。
【００３１】
　保護パネル６は、図７に示されるように、前部筐体２ａと液晶パネル３のパネル枠５との間に、その周縁部６ｂが挟まれて保持されている。
【００３２】
　保護パネル６の周縁部６ｂと液晶パネル３のパネル枠５との間には、可撓性を有する復元性部材としての樹脂発泡体（スポンジ）７が介在されている。樹脂発泡体７は、矩形断面を有し、保護パネル６との接触面が、保護パネル６に固着されている。樹脂発泡体７は、保護パネル６に代えて、液晶パネル３のパネル枠５に固着してもよいが、液晶パネル３は、定期的なメンテナンスで交換する場合があるので、液晶パネル３を単独交換可能なように、保護パネル６側に固着するのが好ましい。
【００３３】
　樹脂発泡体７は、保護パネル６またはパネル枠５に固着されることが、装置を組み立てる際の作業性向上に好ましいが、樹脂発泡体７は、保護パネル６およびパネル枠５のいずれにも固着されなくてもよい。
【００３４】
　樹脂発泡体７の厚みについては、液晶ディスプレイ装置１が組み立てられた状態で保護パネル６の厚み方向に圧縮を受けるような寸法設定にしておけばよく、これによって、保護パネル６を絶えず前部筐体２ａに圧接（押圧）するような外力を与えることができる。
【００３５】
　このように保護パネル６は、樹脂発泡体７を介して前部筐体２ａと液晶パネル３のパネル枠５とによって挟まれて保持されており、筐体２との間で、他の機械的な接続（固定）は一切なされていない。
【００３６】
　したがって、装置通電時の内部発熱によって保護パネル６が、熱膨張して外方に伸びようとする現象を妨げることがなく、また、通電停止後の熱収縮によって縮もうとする現象を妨げることがないので、保護パネル６が、凹凸状に変形したり、あるいは、その変形によって液晶パネル３の画像表示領域４ａに接触してモアレを発生させるといったことが低減される。
【００３７】
　保護パネル６は、可撓性および復元性を有する樹脂発泡体７を介して挟まれているので、樹脂発泡体７の圧縮反発力により、前部筐体２ａ側に押し付けられることになり、ガタツキが吸収されてその保持がより確実なものとなる。
【００３８】
　液晶パネル３の画像表示領域４ａは、図２に示されるように、樹脂発泡体７および保護パネル６によって遮蔽されることになり、保護パネル６、樹脂発泡体７および液晶表示パネル３によって、筐体２内において、密閉された空間８が形成されている。
【００３９】
　したがって、液晶ディスプレイ装置の組立て時に画像表示領域４ａに付着していた塵埃が予め除去されている場合、組立て後に画像表示領域４ａに塵埃が付着するのを防止できる。
【００４０】
　この実施の形態は、例えば、１８インチの液晶ディスプレイ装置１であって、前部筐体２ａの開口部の端面と保護パネル６の中央部分６ａの側面との間には、例えば、０．２ｍｍ程度の隙間Ｇ１を設けている。隙間Ｇ１によって、装置通電時の内部発熱によって保護パネル６が伸びても前部筐体２ａによってその伸びが制限されることがない。
【００４１】
　樹脂発泡体７の厚みは、例えば、３ｍｍであって、樹脂発泡体７の厚みが、１ｍｍ程度になるような押圧力で、保護パネル６を保持している。このとき、保護パネル６の内面と液晶パネル３の画像表示領域４ａとの間の間隔Ｇ２は、例えば、１．５ｍｍ程度となっている。
【００４２】
　樹脂発泡体７としては、連続気泡エチレンフォームが好ましい。連続気泡エチレンフォームには、三和化工株式会社製の「オプセル」（商品名）がある。
【００４３】
　以上のように、保護パネル６は、その周縁部６ｂが、前部筐体２ａやパネル枠５に固定されるのではなく、前部筐体２ａとパネル枠５とによって、樹脂発泡体７を介して挟持されるので、装置通電時の内部発熱によって保護パネル６自身が熱変形を起こそうとしても自由に伸縮できるから、凹凸状に変形してしまって液晶パネル３の画像表示領域４ａに接触してモアレを発生してしまうという問題を防止できる。この防止の効果は、熱だけでなく湿気によって保護パネル６が線膨張する場合にも有効である。
【００４４】
　弾性を有する樹脂発泡体７は、前部筐体２ａとパネル枠５とで保護パネル６を挟み込んだときの隙間を吸収できるので、組立て後の保護パネル６のガタツキ等を防ぐことができる。
【００４５】
　さらに、液晶パネル３の画像表示領域４ａは、樹脂発泡体７および保護パネル６によって遮蔽されるので、装置組立て後に液晶パネル３の画像表示領域４ａへ塵埃が侵入して付着するのを防止することができる。
【００４６】
　（実施の形態２）
　図８および図９を参照して本発明に従う他の実施形態の液晶ディスプレイ装置を説明すると、保護パネル６は、前部筐体２ａの内面と、該内面にネジ止めされた屈曲した保持部材９とに挟まれて保持されており、保護パネル６の周縁部６ｂには、樹脂発泡体７が固着されている。
【００４７】
　保持部材９は、矩形の保護パネル６の各辺に対応して４つ設けられており、この保持部材９は、ネジ１０によって前部筐体２ａに取り付けるための取付部９ａと、保護パネル６を挟持するための挟持部９ｂとを備えている。
【００４８】
　この保持部材９は、前部筐体２ａの内面にネジ止めしたときに、樹脂発泡体７を上述の実施の形態と同様に圧縮して保護パネル６を、前部筐体２ａの内面との間で挟んで保持するように構成さている。その他の構成は、上述の実施の形態と同様である。
【００４９】
　保持部材９は、液晶パネル３側、例えば、パネル枠５に設け、パネル枠５と保持部材９とによって、保護パネル６を挟んで保持するようにしてもよい。
【００５０】
　可撓性の復元性部材としてはゴムやエラストマ等の素材を用いてもよい。
【００５１】
　可撓性の復元性部材は、省略されてもよい。
【産業上の利用可能性】
【００５２】
　本発明は、液晶ディスプレイ装置、プラズマディスプレイ装置、有機ＥＬディスプレイ装置等に有用である。
【図面の簡単な説明】
【００５３】
【図１】本発明の好ましい実施形態に係る液晶ディスプレイ装置の前面を示す図である。
【図２】図１の液晶ディスプレイ装置の縦断側面図である。
【図３】図１の液晶ディスプレイ装置の一部を破断した斜視図である。
【図４】図３の筐体を除いた状態を示す斜視図である。
【図５】図４の保護パネルを除いた状態を示す斜視図である。
【図６】保護パネルの斜視図である。
【図７】図２の一部を拡大した断面図である。
【図８】本発明の他の好ましい実施形態に係る液晶ディスプレイ装置の縦断側面図である。
【図９】図９は、図８の一部を拡大した断面図である。
【符号の説明】
【００５４】
　１　液晶ディスプレイ装置　　　　２　筐体
　３　液晶パネル　　　　　　　　　４　パネル本体
　５　パネル枠　　　　　　　　　　６　保護パネル
　７　樹脂発泡体　　　　　　　　　９　保持部材
【図１】
2004145316.tif 000003
【図２】
2004145316.tif 000004
【図３】
2004145316.tif 000005
【図４】
2004145316.tif 000006
【図５】
2004145316.tif 000007
【図６】
2004145316.tif 000008
【図７】
2004145316.tif 000009
【図８】
2004145316.tif 000010
【図９】
2004145316.tif 000011